(57)【要約】【課題】浴水を確実に下枠で止水して隣室に至らしめないような浴室の出入口構造を提供する。【解決手段】浴室と隣室とを連通する浴室の出入口に引戸１を設ける。引戸１をスライドさせる下枠２を浴室床パン４と隣室の床部５との間に配置する。下枠２に、下枠２の長手方向に延びて且つ上方に凸である突条１６を複数本、浴室の内外方向に並べて立設する。引戸１の下端に凹設したガイド溝１ｂに上記突条１６を挿入させて引戸１をガイドする。下枠２内に溜まる浴水を浴室側に排水させる排水部２２を各突条１６の長手方向の複数箇所に設ける。各突条１６に設けた排水部２２をそれぞれ下枠２の長手方向に位相をずらして位置させる。【選択図】        図１
2004150039.tif 000002
【特許請求の範囲】
【請求項１】
浴室と隣室とを連通する浴室の出入口に引戸を設け、この引戸をスライドさせる下枠を浴室床パンと隣室の床部との間に配置し、この下枠に、下枠の長手方向に延びて且つ上方に凸である突条を複数本、浴室の内外方向に並べて立設し、引戸の下端に凹設したガイド溝に上記突条を挿入させて引戸をガイドしてなる浴室の出入口構造において、下枠内に溜まる浴水を浴室側に排水させる排水部を各突条の長手方向の複数箇所に設け、各突条に設けた排水部をそれぞれ下枠の長手方向に位相をずらして位置させたことを特徴とする浴室の出入口構造。
【請求項２】
突条が立設される下枠の底面に、浴室側程低くなるような傾斜をつけたことを特徴とする請求項１記載の浴室の出入口構造。
【請求項３】
浴室洗い場や下枠からの浴水が集水される排水溝を浴室床パンと下枠との間に配置し、この排水溝を浴室の主排水管に連通させたことを特徴とする請求項１記載の浴室の出入口構造。
【発明の詳細な説明】
【０００１】
【発明の属する技術分野】
本発明は、浴室の出入口構造に関し、詳しくは、浴室の出入口に設けた引戸をガイドする下枠内から浴水を排水させる構造に関する発明である。
【０００２】
【従来の技術】
従来から、図７に示すように、浴室の出入口に引戸１を設ける際には、引戸１をガイドする下枠２を浴室床パン４と隣室の床部５との間に配置し、下枠２の長手方向に延びて且つ上方に凸に形成された突条１６に、引戸１の下端に凹設したガイド溝１ｂを挿入させることで、引戸１の安定したスライド動作を確保し、この引戸１のスライド動作で浴室の出入口を開閉できるようにしてある。ここで、下枠２にあっては、浴室床パン４と隣室の床部５との間に配置されているので、浴室床パン４に溢れた浴水、引戸１に降りかかった浴水、浴室の出入口を通る入浴者の濡れた体から滴る浴水等がたびたび流入してしまうものである。しかして、下枠２には下枠２内に流入した浴水を浴室側に排水する排水部３０が設けてある。具体的に、この排水部３０は突条１６の長手方向の複数箇所を切欠いた排水孔で構成されている。そして、この排水部３０は下枠２に流入した浴水を効率よく浴室側に排水させることを期して、浴室の内外方向に重なる位置に設けられている（たとえば、特許文献１参照）。
【０００３】
【特許文献１】
特開平９−８８４３４号公報
【０００４】
【発明が解決しようとする課題】
しかしながら、下枠２の浴水を効率よく浴室側に排水させるために、排水部３０を浴室の内外方向に重なる位置に設けることは、裏を返せば、浴室側から下枠２に流入する浴水を下枠２の隣室側に至るまで逆流させることになり、下枠２に流入する浴水の勢いが強い場合には、浴水が下枠２を通り抜けて隣室にまで至り、隣室の床面を浴水で水浸しにしてしまうことも起こり得るのであった（図７中矢印Ｈ）。
【０００５】
本発明は上記の点に鑑みてなされたものであり、浴水を確実に下枠で止水して隣室に至らしめないような浴室の出入口構造を提供することを課題とするものである。
【０００６】
【課題を解決するための手段】
上記課題を解決するために本発明に係る浴室の出入口構造は、浴室と隣室とを連通する浴室の出入口に引戸１を設け、この引戸１をスライドさせる下枠２を浴室床パン４と隣室の床部５との間に配置し、この下枠２に、下枠２の長手方向に延びて且つ上方に凸である突条１６を複数本、浴室の内外方向に並べて立設し、引戸１の下端に凹設したガイド溝１ｂに上記突条１６を挿入させて引戸１をガイドしてなる浴室の出入口構造において、下枠２内に溜まる浴水を浴室側に排水させる排水部２２を各突条１６の長手方向の複数箇所に設け、各突条１６に設けた排水部２２をそれぞれ下枠２の長手方向に位相をずらして位置させたことを特徴とする。
【０００７】
これによると、互い違いの位置に配置した排水部２２によって、浴室から下枠２に侵入した浴水が排水部２２を連続して遡って下枠２の隣室側にまで至ることが防止され、つまり、浴室側の突条１６における排水部２２の隣室側には隣接する突条１６が立ちはだかり、この排水部２２を通った浴水は隣接する突条１６に当って勢いが弱められ、浴水が下枠２の隣室側にまで至りにくくされており、したがって、浴水を確実に下枠２で止水できて隣室に至らしめないようにできる。
【０００８】
また、突条１６が立設される下枠２の底面１７に、浴室側程低くなるような傾斜をつけたことも好ましい。これによると、下枠２に流入した浴水を浴室側にスムーズに排水させることができる。
【０００９】
また、浴室洗い場や下枠２からの浴水が集水される排水溝２５を浴室床パン４と下枠２との間に配置し、この排水溝２５を浴室の主排水管に連通させたことも好ましい。これによると、下枠２から浴水を浴室側に排水させても、この浴水を排水溝２５に排水させることができ、更に、この排水溝２５の浴水は浴室の主排水管に排水されるので、浴室の出入口付近を水はけのよい構造とでき、浴室の出入口を衛生的且つ滑りにくい安全な構造にできる。
【００１０】
【発明の実施の形態】
本発明は、引戸１をガイドする下枠２を浴室床パン４と隣室の床部５との間に配置した浴室の出入口構造であって、下枠２に浴水が流入しても、この浴水を確実に下枠２で止水して隣室に至らしめないようにしたことを特徴とするものである。以下、本発明を添付図面に示す実施形態に基づいて説明する。
【００１１】
図１乃至図６に示すように、隣室に連通した浴室の出入口には引戸１が設けられて該出入口を開閉自在にしている。この引戸１は、上端にローラ１ａを備えると共に下端に上方に凹んだガイド溝１ｂが形成された吊戸式の引戸１であり、浴室の出入口の天井部位に配置された上枠３にローラ１ａを吊持転動させ、浴室の出入口の床部分に配置された下枠２のガイド突起２１をガイド溝１ｂ内に挿入させ、取っ手１ｃを持って浴室の内外方向と直交する方向にスライドさせることで、該出入口を開閉できるようにされている。
【００１２】
なお、上記上枠３、下枠２及び引戸１からなる引戸装置は、浴室の出入口のうち隣室側に設けられている。この浴室の出入口の床部分は、浴室側から浴室床パン４、排水溝２５を備えた溝枠６、上記下枠２、隣室の床部５を連続接続して構成されており、溝枠６の排水溝２５に被着された蓋体１９等、各部材４，６，１９，２，５の上面高さレベルを略同じにしてバリアフリー設計に対応した構造とされている。なお、溝枠６及び下枠２は浴室の内外方向に直交する方向に長く形成された押出し成形型材であるが、浴室の出入口を開閉する引戸１のガイドレールとなる下枠２は、出入口を開放した引戸１の戸袋部位として使用される分、浴室の出入口の床部分のみに設置される溝枠６よりも長く形成されている。ここで、便宜上、溝枠６に接続されて浴室の出入口の床部分を構成する下枠２の部位を出入口構成部２ａと称し、溝枠６に接続されずに浴室の出入口を開けた引戸１が収まる下枠２の部位を戸袋構成部２ｂと称する。
【００１３】
下枠２は、図５，６に示すように、その浴室側には溝枠６を載設させる溝枠載置部１３が備えられると共に、その隣室側には隣室の床部５に載置させて連結させる隣室連結部１４が備えられ、この溝枠載置部１３と隣室連結部１４の間に下方に凹形状とされたレール部１５が設けられて構成されている。このレール部１５には、下枠２の長手方向に延びて且つ上方に凸である突条１６が複数条、浴室の内外方向に並べて立設されている。具体的に、このレール部１５は、溝枠載置部１３との境界部分で上方に立ち上がる縦片状の浴室側突条１６ａと、この浴室側突条１６ａの基部から隣室側に延出する底面１７と、隣室連結部１４から垂下される縦壁１８とで、上方に開口する凹溝状に形成された部位である。なお、上記底面１７には浴室側程高さレベルが低くなる傾斜がつけられている。また、レール部１５の底面１７の浴室側と隣室側との中央部位からは、１対のガイド突条１６ｂが上方に突設されている。これら浴室側突条１６ａ及びガイド突条１６ｂは、下枠２の長手方向にほぼ亘ると共にそれぞれ浴室の内外方向に平行に並んで立設されているが、この浴室側突条１６ａは溝枠６の蓋体１９の隣室側端部を支持するものであり、１対のガイド突条１６ｂはその上端間にキャップ２０が嵌め込まれて形成されるガイド突起２１を構成するものである。なお、このガイド突起２１は引戸１の下端のガイド溝１ｂに挿入されて引戸１のがたつきの無いスライドを確保するレールの役割を果たすものである。
【００１４】
また、これら浴室側突条１６ａ及びガイド突条１６ｂには、それぞれ長手方向の複数箇所に、浴室側に浴水を排水させる排水部２２，２３が形成されている。この排水部２２、２３は、レール部１５の底面１７と段差が無いように浴室の内外方向に各突条１６を貫通した排水孔で構成されている。そして、この排水部２２，２３のうち、出入口構成部２ａに位置して設けた排水部２２にあっては、各浴室側突条１６ａ及びガイド突条１６ｂごとに下枠２の長手方向に位相をずらして位置されている。つまり、浴室側突条１６ａ及びガイド突条１６ｂの各排水部２２は、浴室の内外方向に重ならないように位置されているのである。一方、戸袋構成部２ｂに位置して設けた排水部２３にあっては、浴室側突条１６ａ及びガイド突条１６ｂの各排水部２３が浴室の内外方向に一直線上に位置されている。
【００１５】
上記下枠２と共に浴室の出入口の床を構成する溝枠６は、その浴室側に浴室床パン４に接続する浴室連結部２４が備えられ、この浴室連結部２４の隣室側に上方及び隣室側に開口する排水溝２５が設けられ、排水溝２５の隣室側の端部の下部に下枠２の溝枠載置部１３に載置する下枠接続部２６が備えられて構成されている。下枠２と溝枠６とは、溝枠６のブロック状の下枠接続部２６を凹溝状の溝枠載置部１３内に載置し、溝枠載置部１３と下枠接続部２６との適所をビス等の固着具２７で締結することで接続される。このときには、溝枠６の排水溝２５は下枠２のレール部１５と浴室側突条１６ａの排水部２２を介して連通するようになる。ここで、この排水溝２５の底面は浴室側程高さレベルが低くなる傾斜がつけられており、排水溝２５の底面の最も低い部位である浴室側の部分には、排水管２８を介して浴室の排水主管（図示せず）に連通された排水孔２９が形成され、排水溝２５に流入した浴水のスムーズな排水を可能としている。
【００１６】
なお、下枠２の長手方向のうち上記溝枠６と接続されない部位は、浴室と隣室とを仕切る仕切り壁７に沿って配設される。この仕切り壁７は対向する浴室の側壁８と隣室の側壁９とから構成され、仕切り壁７と溝枠６との間には浴室の出入口の側壁を構成する縦枠１２が立設される。この縦枠１２は浴室の側壁８と隣室の側壁９の端部同士を連結する部材でもある。ここで、隣室の側壁９は、下枠２と隣接する基枠１０とこの基枠１０に載置される壁パネル１１とで構成されている。そして、この基枠１０にはその内部に下枠２と平行する管部１０ａが設けられている。この管部１０ａは、下枠２の戸袋構成部２ｂの排水部２３と連通すると共に、その管端の開口が縦枠１２を挿通して溝枠６の排水溝２５に臨むようにされている。
【００１７】
上述した浴室の出入口構造における下枠２にあって、その出入口構成部２ａでは、溝枠６を介して浴室床パン４とバリアフリー設計のもと接続されているので、浴室床パン４に溢れた浴水が溝枠６の蓋体１９上を流れて下枠２のレール部１５内に流入したり、出入口を閉じた引戸１に降り掛かって滴り落ちる浴水が下枠２のレール部１５内に流入することが頻繁に起こり得る。しかも、ときにはこの下枠２のレール部１５内に流入する浴水の勢いが強い場合もあり、このようなときには下枠２のレール部１５内に流入した浴水はその勢いで隣室側に至ろうとするのである。詳しくは、下枠２にはその長手方向に縦片状の突条１６が複数条立設されているので、下枠２のレール部１５内に流入した浴水が下枠２のレール部１５の浴室側から隣室側に至るには各突条１６が障壁になり、結果、各突条１６に設けた排水部２２を逆流し、下枠２のレール部１５の隣室側に至ろうとするものである。しかし、本例の下枠２の出入口構成部２ａにおける各突条１６の排水部２２は、上述したように各突条１６ごとに下枠２の長手方向に位相をずらして位置されており、つまり、浴室側の突条１６に設けた排水部２２の隣室側には隣接する突条１６の壁面が立ちはだかっており、排水部２２を通った浴水は隣接する突条１６の壁面に当って勢いが弱められ、浴室から下枠２に流入した浴水は下枠２のレール部１５の隣室側にまでは至りにくくされているのである。したがって、たとえ浴室側から下枠２のレール部１５内に浴水が勢いよく流入したとしても、浴室から下枠２に流入した浴水が各排水部２２を通って下枠２の隣室側にまで至るようなことは回避され、従来問題とされた下枠２を通って隣室の床部５に浴水が溢れて水浸しになるといった事態は回避できるようにされているのである。なお、下枠２のレール部１５の底面１７は浴室側に低くなる傾斜をしているので、下枠２のレール部１５内に流入した浴水は、上記排水部２２を介して浴室側にすみやかに排出されるようになっており（図１中矢印Ｄ）、また、下枠２のレール部１５内に流入した浴水の隣室側への移動の妨げにも資しているものである。
【００１８】
また、この下枠２における戸袋構成部２ｂでは、浴室の出入口を開放した引戸１が収められるので、浴室の出入口を閉じていた引戸１に浴水が降りかかり、濡れた状態の引戸１をそのまま戸袋構成部２ｂに収めたときには、引戸１から浴水が戸袋構成部２ｂのレール部１５内に滴り落ちるものである。この戸袋構成部２ｂで起きる下枠２のレール部１５内への浴水の流入は、上記出入口構成部２ａで起きる下枠２のレール部１５内への浴水の流入に比べて、その勢いは弱く、その水量も小さいものである。しかして、この戸袋構成部２ｂでは出入口構成部２ａのように、下枠２のレール部１５内に流入する浴水の勢いによって、この浴水が下枠２の隣室側にまで至ることは殆どない。ここで、下枠２の戸袋構成部２ｂにおける各突条１６の排水部２３は、上述したように各突条１６に設けた各排水部２３が浴室の内外方向に一直線上に位置されており、しかして、下枠２のレール部１５内に流入した浴水をすみやかに浴室側に排出できるようになっている（図１中矢印Ｅ）。なお、下枠２のレール部１５の底面１７が浴室側に低くなる傾斜をしていることも、下枠２のレール部１５内に流入した浴水の浴室側へのすみやかな排出に資するようになっている。
【００１９】
なお、下枠２のレール部１５内に流入した浴水の浴室側へ排出は、出入口構成部２ａでは浴室側突条１６ａの排水部２２から直接溝枠６の排水溝２５に流れ込ませることで行われ（図１中矢印Ｄ）、また戸袋構成部２ｂでは浴室側突条１６ａの排水部２３から基枠１０の管部１０ａを通って該排水溝２５に流れ込ませることで行われる（図１中矢印Ｅ，Ｆ）。つまり、下枠２のレール部１５内に流入した浴水はすべて溝枠６の排水溝２５に排水されるようになっている。そして、この排水溝２５に流れた浴水は、排水溝２５の底面の排水孔２９、排水管２８を経て、浴室の主排水管に排水されるようなっている（図３中矢印Ｇ）。しかして、下枠２のレール部１５から浴室側に浴水が排出されても、浴室の出入口付近で該浴水が溜まってしまうようなことはなく、衛生的で且つ滑りにくい安全性を備えた浴室の出入口にできるようになっている。
【００２０】
【発明の効果】
上記のように本発明の請求項１記載の発明にあっては、叙述したように、下枠内に溜まる浴水を浴室側に排水させるための排水部を各突条の長手方向の複数箇所に設け、各突条に設けた各排水部をそれぞれ下枠の長手方向に位相をずらして位置させたので、浴室から下枠に流入した浴水が各排水部を通って下枠の隣室側にまで至るようなことは回避されるようになっている。つまり、浴室側の突条に設けた排水部の隣室側には隣接する突条の壁面が立ちはだかり、排水部を通った浴水は隣接する突条の壁面に当って勢いが弱められることから、浴室から下枠に流入した浴水は下枠の隣室側にまでは至りにくくされているのである。したがって、浴水を確実に下枠で止水できて隣室には至らしめず、隣室の床を浴水で水浸しにしてしまうことがないようにされているのである。
【００２１】
また、請求項２記載の発明にあっては、請求項１の効果に加えて、突条が立設される下枠の底面に、浴室側程低くなるような傾斜をつけたので、下枠に流入した浴水を浴室側にスムーズに排水させることができ、下枠内で浴水が溢れることを防止できるのは勿論、下枠内に浴水を残さず、浴室の出入口を衛生的にできる。
【００２２】
また、請求項３記載の発明にあっては、請求項１の効果に加えて、浴室洗い場や下枠からの浴水が集水される排水溝を浴室床パンと下枠との間に配置し、この排水溝を浴室の主排水管に連通させたので、下枠から浴水を浴室側に排水させても、この浴水を排水溝に排水させることができ、更に、この排水溝の浴水は浴室の主排水管に排水させることができ、したがって、浴室の出入口付近を水はけのよい構造とでき、浴室の出入口を衛生的且つ滑りにくい安全な構造にできるのである。
【図面の簡単な説明】
【図１】本発明の実施の形態の例を示す引戸を省略した浴室の出入口の斜視図である。
【図２】同上の浴室の出入口の上面図である。
【図３】図２のＡ−Ａ線断面図である。
【図４】図２のＢ−Ｂ線断面図である。
【図５】同上の下枠を示す（ａ）は正面図であり、（ｂ）は上面図であり、（ｃ）は側面図である。
【図６】図５のＣ−Ｃ線断面図である。
【図７】従来技術の例の浴室の出入口の斜視図である。
【符号の説明】
１  引戸
１ｂ  ガイド溝
２  下枠
２ａ  出入口構成部
２ｂ  戸袋構成部
３  上枠
４  浴室床パン
５  隣室の床部
６  溝枠
７  仕切り壁
１５  レール部
１６  突条
１７  底面
１６ａ  浴室側突条
１６ｂ  ガイド突条
２２  排水部
２３  排水部
２５  排水溝
２９  排水孔
【図１】
2004150039.tif 000003
【図２】
2004150039.tif 000004
【図３】
2004150039.tif 000005
【図４】
2004150039.tif 000006
【図５】
2004150039.tif 000007
【図６】
2004150039.tif 000008
【図７】
2004150039.tif 000009